(57)【要約】【課題】受信装置におけるＡＧＣ制御の信頼性の向上。【解決手段】受信信号に対するＡＧＣとしては、第１ＡＧＣ制御系と第２ＡＧＣ制御系とでの２つの制御系によるＡＧＣを選択的に実行可能とされている。第１ＡＧＣ制御系は希望波に対する不要波の妨害が少ないとされる信号状態で良好な制御結果が得られるのに対して、第２の制御系では、希望波に対する不要波の妨害が大きいとされる信号状態で良好な制御結果が得られる。そして、受信環境に応じた受信信号の信号状態として、ＡＧＣ値、ビットエラーレート値、Ｃ／Ｎ値などの情報に基づいて、現在の受信信号の状態を推定して、第１ＡＧＣ制御系と第２ＡＧＣ制御系とのいずれの制御とするのかを決定するように構成する。【選択図】図１
2005102008.tif 000002
【特許請求の範囲】
【請求項１】
受信信号として入力した高周波信号について可変のゲインにより増幅する高周波可変増幅手段と、
上記高周波可変増幅手段により増幅された高周波信号を所要の中間周波信号に変換する変換手段と、
所要帯域の上記中間周波信号について、可変のゲインにより増幅する中間周波可変増幅手段と、
上記中間周波可変増幅手段により増幅された中間周波信号に基づいて、自動ゲイン制御のための制御信号である第１の制御信号を生成する第１の制御信号生成手段と、
上記変換手段により出力される上記中間周波信号に基づいて、自動ゲイン制御のための制御信号である第２の制御信号を生成する第２の制御信号生成手段と、
上記第１の制御信号に基づいて、上記高周波可変増幅手段と上記中間周波可変増幅手段について、遅延形の制御特性によるゲイン設定を行うことで、自動ゲイン制御を行う第１の自動ゲイン制御手段と、
上記第１の制御信号に基づいて上記中間周波可変増幅手段のゲイン設定を行うと共に、上記第２の制御信号に基づいて上記高周波可変増幅手段のゲイン設定を行うことで、自動ゲイン制御を行う第２の自動ゲイン制御手段と、
受信環境に応じたとされる上記受信信号の状態を示す信号状態情報を取得する情報取得手段と、
上記情報取得手段により取得した信号状態情報に基づいて、上記第１の自動制御ゲイン手段と、上記第２の自動制御ゲイン手段との、いずれによる自動制御ゲインを実行させるのかを決定する、自動ゲイン制御決定手段と、
を備えることを特徴とする受信装置。
【請求項２】
上記情報取得手段は、
上記第１の制御信号が示す設定ゲイン値の情報と、
上記中間周波可変増幅手段により増幅された中間周波信号を入力して、ベースバンド信号に復調する復調手段が信号処理を実行する過程において、この復調手段により得られる情報である、復調信号についての誤りビット率の情報、及びキャリア対ノイズ比の情報、のうち少なくともいずれか１つを信号状態情報として取得する、
ことを特徴とすることを特徴とする請求項１に記載の受信装置。
【請求項３】
受信信号として入力した高周波信号について可変のゲインにより増幅する高周波可変増幅手順と、
上記高周波可変増幅手順により増幅された高周波信号を所要の中間周波信号に変換する変換手順と、
所要帯域の上記中間周波信号について、可変のゲインにより増幅する中間周波可変増幅手順と、
上記中間周波可変増幅手順により増幅された中間周波信号に基づいて、自動ゲイン制御のための制御信号である第１の制御信号を生成する第１の制御信号生成手順と、
上記変換手順により出力される上記中間周波信号に基づいて、自動ゲイン制御のための制御信号である第２の制御信号を生成する第２の制御信号生成手順と、
上記第１の制御信号に基づいて、上記高周波可変増幅手順と上記中間周波可変増幅手順について、遅延形の制御特性によるゲイン設定を行うことで、自動ゲイン制御を行う第１の自動ゲイン制御手順と、
上記第１の制御信号に基づいて上記中間周波可変増幅手順のゲイン設定を行うと共に、上記第２の制御信号に基づいて上記高周波可変増幅手順のゲイン設定を行うことで、自動ゲイン制御を行う第２の自動ゲイン制御手順と、
受信環境に応じたとされる上記受信信号の状態を示す信号状態情報を取得する情報取得手順と、
上記情報取得手順により取得した信号状態情報に基づいて、上記第１の自動制御ゲイン手順と、上記第２の自動制御ゲイン手順との、いずれによる自動制御ゲインを実行させるのかを決定する、自動ゲイン制御決定手順と、
を実行することを特徴とする受信方法。
【発明の詳細な説明】
【技術分野】
【０００１】
本発明は、例えばテレビジョン放送などを受信復調する受信装置及びその方法に関するものである。
【背景技術】
【０００２】
テレビジョン放送を受信する受信装置では、例えばアンテナなどにより受信した受信信号について強弱が生じると、これに応じて、映像検波出力にも変動が生じる。このような映像検波出力の変動は、例えば表示画像のコントラストの変化などの画質劣化の要因となって好ましくない。そこで、受信装置では、このような受信信号の強度を補償するために、ＡＧＣ(Automatic Gain Control)といわれる信号処理を行うのが通常である。
【０００３】
ＡＧＣの手法として、１つには、いわゆる遅延形といわれる方式によるものが知られている。
この遅延型のＡＧＣでは、中間周波増幅部（ＩＦ）における中間周波可変増幅段により増幅された中間周波信号をレベル検波することで、ＡＧＣとしてのゲインを設定したゲイン制御信号を得るようにされる。そして、このゲイン制御信号に基づいて、チューナ部における高周波（ＲＦ）可変増幅段と、この後段における中間周波増幅部（ＩＦ）における中間周波可変増幅段とで、ＡＧＣが行われるようにするものである。
そして、周知のようにして、高周波（ＲＦ）可変増幅段と中間周波可変増幅段とでは、受信信号の電界強度（入力レベル）に応じてＡＧＣを効かせる領域が異なる（遅延される）ようにして設定されている。これにより例えば弱電界から中電界の領域では、チューナ部をほぼ最大感度で動作させてＳ／Ｎ比等の良好な画像を得ると共に、強電界では、チューナ部側のゲインを抑制することで、いわゆる混変調歪みが生じないようにする。つまり、弱電界から強電界の範囲で、適切な受信信号のゲインが設定されるようにすることで、結果的に、電界強度の変化に対してゲインが一定となる映像信号を得るようにしているものである。
【０００４】
また、近年においては、デジタル放送が普及してきており、テレビジョン放送を受信する受信装置としても、このようなデジタル放送に対応したものが普及するようになってきている。そして、デジタル放送に対応した受信装置においては、上記した遅延形のＡＧＣではかえって良好でない制御結果となってしまう場合がある。
【０００５】
つまり、アナログ放送では、放送チャンネルとキャリアとの関係が特定的なものあることから、チューナ部において選局すべきチャンネルに対応する希望波と、これ以外の不要波との周波数差は比較的大きなものとなっている。このために、上記した遅延形のＡＧＣは有効であるということになる。
これに対してデジタル放送では、例えばスペクトラム拡散方式により変調されて伝送されるものであることなどにより、選局すべきチャンネルに対応する希望波と、これ以外の不要波とが比較的近接した周波数帯域にある状態となりやすい。このような状態のもとで、さらに例えば、希望波よりも不要波の強度が強いような状態で受信入力された場合において、上記した遅延形のＡＧＣが行われると、高周波可変増幅段では、この希望波を対象としてゲイン設定を行おうとするために、この段階で不要波が過入力歪みを生じやすい傾向となってしまう。不要波に歪みが生じると、その歪みの成分により新たに生じた周波数帯域成分が、希望波の帯域に及ぶなどして、いわゆる混変調歪みを生じることになる。
【０００６】
そこで、上記したデジタル放送の場合におけるような、希望波と不要波の周波数帯域が近い状態に対応したＡＧＣの構成として、次のような手法が知られるようになってきている。なお、ここでは、この手法によるＡＧＣを、独立ＡＧＣ方式ということにする。
この独立ＡＧＣ方式では、例えば高周波可変増幅段から次段の中間周波増幅部に出力される信号をレベル検波し、このレベル検波の出力に基づいて、高周波可変増幅段のゲインを可変設定する。また、中間周波可変増幅段では、この中間周波可変増幅段からの出力信号のレベルを検波して得られる出力に基づいて、中間周波可変増幅段のゲインを可変設定するようにされる。
つまり、独立ＡＧＣ方式では、高周波可変増幅段と、中間周波可変増幅段とで、個々に独立して完結したＡＧＣの帰還回路系を形成している。
これに対して、上記した遅延形のＡＧＣでは、中間周波可変増幅段の出力信号についてレベル検波した出力を、高周波可変増幅段と中間周波可変増幅段に帰還するようにしてゲインを可変設定する構成を採っている。つまり、ゲイン設定のためのレベル検波出力が共通となっている構成を採っている。
【０００７】
そして、上記した独立ＡＧＣ方式の構成では、高周波可変増幅段においては、希望波及び不要波を含む受信信号全体のレベルに基づいて、ゲインが設定されるように動作することになる。この動作の下で、例えば希望波よりも不要波のほうの強度が高い状態であるとすると、高周波可変増幅段に対して設定するゲインとしては、小さくなるようにして可変する傾向となる。このため、高周波可変増幅段にて増幅されて中間周波増幅段に入力される信号レベルとしては、過大にならないようにされ、過入力による歪みも抑制される。
しかしながら、この場合には、アナログ放送のようにして、希望波及び不要波の周波数帯域が離れているような状態であっても、不要波のほうが強度が高いような場合には、この不要波のレベルに応じてゲインを小さくするように動作する。このような場合には、希望波についてのゲインが必要以上に小さく設定されることとなって、希望波についてのＣ／Ｎ比(Carrier to Noise Ratio)、Ｓ／Ｎ比(Signal to Noise Ratio)の劣化を招くことになる。
【０００８】
このような従来技術に関連する文献としては下記の特許文献１を挙げることができる。この特許文献１では、チューナ部の高周波増幅段におけるＡＧＣを行うのにあたり、デジタル放送信号に隣接した周波数位置にアナログ放送信号が位置しているか否かに応じて、ゲイン設定のためのレベル検出対象を、チューナ部からの出力と、これより後段の復調手段からの出力とで切り換えるようにしている。
【特許文献１】特開２００３−３７５１６号公報
【発明の開示】
【発明が解決しようとする課題】
【０００９】
現状では、例えばテレビジョン放送の受信装置として、以前からのアナログ放送と、近年普及しつつあるデジタル放送との両者に対応可能に構成する必要性がでてきている。
しかしながら、上記のようにして、アナログ放送とデジタル放送とでは、基本的に適切とされるＡＧＣの方式が異なっているので、上記したＡＧＣの手法が、例えば放送の方式に応じて適切に切り換えられるべき必要があることになる。
【００１０】
ただし、単純に、アナログ放送を受信しているときには遅延形のＡＧＣ方式として、デジタル放送を受信しているときには、上記独立ＡＧＣ方式とすることにも問題がある。
つまり、遅延形のＡＧＣ方式のほうが、独立ＡＧＣ方式よりもレベル精度が高いことから、この点で遅延形のＡＧＣ方式のほうが高性能である。そして、デジタル放送を受信しているときであっても、例えば、希望波に対して不要波が周波数的に離れていたり、希望波に対する妨害が少ないような周波数帯域に不要波が位置しているような状態もあり、このようなときには、遅延形のＡＧＣ方式のほうが良好な動作が得られることになる。
また、逆に、アナログ放送を受信しているときであっても、希望波に近い周波数帯域や、妨害関係にある周波数帯域に不要波が位置しているような状態となる場合も考えられ、このような場合には、独立ＡＧＣ方式のほうが好ましいということになる。
つまり、複数のＡＧＣの方式を選択し得る場合においては、より良好な制御結果が得られるようにして、これらのＡＧＣの方式が選択されるようにすることが要求される。
【課題を解決するための手段】
【００１１】
そこで、本発明は上記した課題を考慮して、受信装置として次のように構成する。
つまり、受信信号として入力した高周波信号について可変のゲインにより増幅する高周波可変増幅手段と、この高周波可変増幅手段により増幅された高周波信号を所要の中間周波信号に変換する変換手段と、所要帯域の上記中間周波信号について、可変のゲインにより増幅する中間周波可変増幅手段と、この中間周波可変増幅手段により増幅された中間周波信号に基づいて、自動ゲイン制御のための制御信号である第１の制御信号を生成する第１の制御信号生成手段と、変換手段により出力される中間周波信号に基づいて、自動ゲイン制御のための制御信号である第２の制御信号を生成する第２の制御信号生成手段と、第１の制御信号に基づいて、高周波可変増幅手段と中間周波可変増幅手段について、遅延形の制御特性によるゲイン設定を行うことで、自動ゲイン制御を行う第１の自動ゲイン制御手段と、第１の制御信号に基づいて中間周波可変増幅手段のゲイン設定を行うと共に、第２の制御信号に基づいて高周波可変増幅手段のゲイン設定を行うことで、自動ゲイン制御を行う第２の自動ゲイン制御手段と、受信環境に応じたとされる受信信号の状態を示す信号状態情報を取得する情報取得手段と、情報取得手段により取得した信号状態情報に基づいて、第１の自動制御ゲイン手段と、第２の自動制御ゲイン手段との、いずれによる自動制御ゲインを実行させるのかを決定する自動ゲイン制御決定手段とを備えて受信装置を構成することとした。
【００１２】
また、本発明の受信方法としては次のように構成することとした。
つまり、受信信号として入力した高周波信号について可変のゲインにより増幅する高周波可変増幅手順と、この高周波可変増幅手順により増幅された高周波信号を所要の中間周波信号に変換する変換手順と、所要帯域の上記中間周波信号について、可変のゲインにより増幅する中間周波可変増幅手順と、この中間周波可変増幅手順により増幅された中間周波信号に基づいて、自動ゲイン制御のための制御信号である第１の制御信号を生成する第１の制御信号生成手順と、変換手順により出力される中間周波信号に基づいて、自動ゲイン制御のための制御信号である第２の制御信号を生成する第２の制御信号生成手順と、第１の制御信号に基づいて、高周波可変増幅手順と中間周波可変増幅手順について、遅延形の制御特性によるゲイン設定を行うことで、自動ゲイン制御を行う第１の自動ゲイン制御手順と、第１の制御信号に基づいて中間周波可変増幅手順のゲイン設定を行うと共に、第２の制御信号に基づいて高周波可変増幅手順のゲイン設定を行うことで、自動ゲイン制御を行う第２の自動ゲイン制御手順と、受信環境に応じたとされる受信信号の状態を示す信号状態情報を取得する情報取得手順と、情報取得手順により取得した信号状態情報に基づいて、第１の自動制御ゲイン手順と、第２の自動制御ゲイン手順との、いずれによる自動制御ゲインを実行させるのかを決定する自動ゲイン制御決定手順とを実行するように構成する。
【００１３】
上記各構成によると、受信信号に対する自動ゲイン制御としては、第１の自動ゲイン制御と、第２の自動ゲイン制御とを選択的に実行可能とされている。第１の自動ゲイン制御と第２の自動ゲイン制御とでは、その構成の相違に応じて、良好な制御結果が得られる受信信号の状態は異なるものとされる。そして、本発明では、受信環境に応じたとされる上記受信信号についての所定の状態を示す信号状態情報を取得することとしており、この取得した信号状態情報に基づいて、第１の自動ゲイン制御と第２の自動ゲイン制御とのいずれを実行させるのかを決定するようにしている。
【発明の効果】
【００１４】
このような構成によれば、受信環境に応じたとされる受信信号の実際の状態に適合して、より良好なゲイン制御結果が得られるとされる自動ゲイン制御動作が選択されることになる。これにより、例えば受信信号の方式などに規則的に対応させて自動ゲイン制御の切換を行うような場合よりも、さらに良好な自動ゲイン制御結果を得ることができ、自動ゲイン制御の信頼性が向上することになる。
【発明を実施するための最良の形態】
【００１５】
図１のブロック図は、本発明の実施の形態としての受信装置の構成を示している。なお、この図に示す受信装置１は、テレビジョン放送としてアナログ放送とデジタル放送との両者に対応して受信復調が可能な構成を採る。
【００１６】
この図に示す受信装置１において、例えばアンテナやＣＡＴＶなどの伝送路から供給されるアナログテレビジョン放送、若しくはデジタルテレビジョン放送の受信信号は、チューナ部２に入力される。チューナ部２に入力された受信信号は、先ず、所定の通過周波数帯域が設定されたフィルタ１１を通過して、高周波（ＲＦ）信号として高周波（ＲＦ）可変増幅回路１２に入力される。
【００１７】
高周波可変増幅回路１２では、入力された高周波信号についてＡＧＣにより可変設定されるゲインにより増幅して、局部発振／ミキサー回路１３に対して出力する。
局部発振／ミキサー回路１３では局部発振回路とミキサー回路とを備える。局部発振回路では所定の周波数による局部発振周波数信号を発生させる。そしてミキサー回路では、局部発振周波数信号と、高周波可変増幅回路１２から出力された高周波信号とを混合することで、この高周波信号を中間周波信号に変換する。
【００１８】
このようにして得られた中間周波信号は、中間周波増幅部３に対して入力される。
また、分岐して、検波回路１４→第２ＡＧＣ回路１５から成る回路系に入力される。なお、この検波回路１４→第２ＡＧＣ回路１５から成る回路系については後述する。
【００１９】
チューナ部２から出力された中間周波信号は、先ず、中間周波増幅部３における中間周波増幅回路２１に入力される。この中間周波増幅回路２１では、例えば予め設定された固定のゲインによって入力された中間周波信号を増幅することで、以降における信号処理に適合したレベル調整、及び波形整形などの処理を実行する。
【００２０】
中間周波増幅回路２１から出力された中間周波信号は、ＳＡＷフィルタ２２に入力される。ＳＡＷフィルタ２２は、周知のようにして急峻な通過帯域特性を有するフィルタであり、これにより、受信信号に含まれる信号成分のうちから、選局されたチャンネルに対応するキャリア周波数の帯域の中間周波信号（希望波）のみが選択されて出力され、これ以外の周波数帯域の信号（不要波）の成分は除去されることになる。
このようにしてＳＡＷフィルタを通過した、希望波に対応する中間周波信号は、中間周波可変増幅回路２３に入力される。
【００２１】
中間周波可変増幅回路２３では、入力された希望波の中間周波信号を、ＡＧＣにより可変設定されるゲインにより増幅して、ベースバンド検波／復調部４に対して出力する。
【００２２】
この場合のベースバンド検波／復調部４では、ベースバンド検波及びベースバンド復調処理をデジタル信号処理により実行する構成とされている。
ベースバンド検波／復調部４に入力された希望波に対応する中間周波信号は、先ず、Ａ／Ｄコンバータ３１によってデジタル信号に変換され、復調回路３２に対して入力される。
【００２３】
復調回路３２では、上記のようにして入力されるデジタル信号化された中間周波信号について、デジタル信号処理によってベースバンド検波及びベースバンド復調処理を実行する。なお、復調回路３２としては、受信選局したチャンネルがアナログ放送である場合とデジタル放送である場合とのそれぞれに適合したベースバンド検波／復調処理を実行するものとされており、例えば、知られているように、高速フーリエ変換（ＦＦＴ）などの処理を実行することで、ベースバンド帯域の信号を得る。
復調回路３２からはベースバンド信号が出力されることになる。このベースバンド信号は、例えばデジタル映像信号であり、ここでは図示しない後段のデジタル映像信号処理回路によって、例えば画像表示のための所要の信号処理が施される。
また、ベースバンド検波／復調部３２には、次に説明するＡＧＣのために検波回路３３→ローパスフィルタ３４が備えられている。
【００２４】
続いて、図１に示す受信回路におけるＡＧＣ(Automatic Gain Control：自動ゲイン制御）のための構成について説明する。このようなテレビジョン放送を受信する受信装置では、ＡＧＣを行う構成を採るのが通常である。受信信号についてＡＧＣがかけられることにより、受信信号の電界強度の変化にかかわらず、チューナ部２から中間周波増幅部３を経由してベースバンド検波／復調部４に入力される受信信号（中間周波信号）は一定ゲインが与えられるようにされる。これにより、受信信号の電界強度の変化に応じて映像信号のレベルが変化して、例えば表示画像のコントラストが不安定となるなどの画質劣化が抑制される。
【００２５】
そして、本実施の形態としては、第１ＡＧＣ制御系と、第２ＡＧＣ制御系との２系統の制御系によるＡＧＣの動作を、択一的に選択して実行させることができるようになっている。
【００２６】
先ず、第１ＡＧＣ制御系としてのＡＧＣの動作を得るためには、スイッチ部４１について端子ｔ１を端子ｔ２と接続した状態に切り換える。
なお、スイッチ部４１は、端子ｔ１に対して端子ｔ２又は端子ｔ３が択一的に接続されるようにして切り換えられるようになっており、その切り換え制御は、コントローラ５０が行う。コントローラ５０は、例えばマイクロコンピュータなどを備えて構成され、受信装置１全体の動作制御を実行するために備えられる。
【００２７】
上記したスイッチ部４０の切換によって形成される第１ＡＧＣ制御系は、いわゆる遅延形のＡＧＣ回路となるものであり、その構成及び動作としては次のようになる。
【００２８】
先ず、ベースバンド検波／復調部４においては、Ａ／Ｄコンバータ３１によりデジタル信号化された中間周波信号が検波回路３３→ローパスフィルタ３４から成る系に対しても分岐して入力される。
【００２９】
検波回路３３では、入力されたデジタル信号としての中間周波信号についてのいわゆるレベル検波といわれる処理を行う。そして、このレベル検波出力をローパスフィルタ３４により直流化することになる。
検波回路３３に入力された中間周波信号は、中間周波可変増幅回路２３から出力されたアナログの中間周波信号をデジタル信号化したものである。従って、ローパスフィルタ３４は、この中間周波可変増幅回路２３から出力された中間周波信号のレベルを、直流的な電圧値により示していることになる。このローパスフィルタ３４の出力が、ＡＧＣ制御信号Ｓagc1として第１ＡＧＣ回路４０に対して出力されることになる。
【００３０】
第１ＡＧＣ制御系を形成する場合の、中間周波可変増幅回路２３及び高周波可変増幅回路１２に対する第１ＡＧＣ回路４０のゲイン設定動作が、遅延形のＡＧＣ回路としての構成となる。
このときの第１ＡＧＣ回路４０では、上記のようにして入力されるＡＧＣ制御信号Ｓagc1に基づいて、中間周波可変増幅回路２３と、高周波可変増幅回路１２に対して、それぞれゲイン設定信号Ｓgst1,Ｓgst2を出力することでゲイン設定を行うようにされる。ただし、遅延形であるから、中間周波可変増幅回路２３と、高周波可変増幅回路１２とでは、ＡＧＣ制御信号Ｓagc1（電界強度）の変化に応じて異なるゲイン設定を行うようにされる。
【００３１】
つまり、例えばここで、受信信号が強電界から中電界とされる範囲内において、電界強度が強くなるようにして変化していくとする。そして、この電界強度の変化に応じたＡＧＣ制御信号Ｓagc1の入力に従った第１ＡＧＣ回路４０の動作として、高周波可変増幅回路１２に対しては、電界強度が強くなるのに応じて最大値から最小値の範囲で低下させるようにしてゲインの可変設定が行われるようにして、ゲイン設定信号Ｓsgt2を出力する。これに対して、中間周波可変増幅回路２３に対しては、上記と同じ、電界強度の変化に応じたＡＧＣ制御信号Ｓagc1の入力に従ったゲイン設定として、最低値として設定された所定のゲインが維持されるようにするためのゲイン設定信号Ｓsgt2を出力する。
【００３２】
上記した中電界から強電界とされるときのＡＧＣ動作によっては、先ず、高周波可変増幅回路１２における増幅により、所定の一定のゲインとなるようにゲイン補償されることになる。つまり、この希望波としての帯域の高周波信号成分がほぼ最大感度で得られるようにされる。代わりに、後段の中間周波可変増幅回路２３では、一定の最低値のゲインを維持することで、ゲイン増加傾向の増幅は行わないようにしているものである。
【００３３】
これに対して、受信信号が中電界から弱電界とされる範囲内において、電界強度が弱くなるようにして変化していくとする。
このような電界強度の変化に対応するＡＧＣ制御信号Ｓagc1の入力に応じて、第１ＡＧＣ回路４０では、高周波可変増幅回路１２に対するゲイン設定として、或る最大値を維持させるようにするためのゲイン設定信号Ｓgst2を出力する。
これに対して、中間周波可変増幅回路２３に対しては、最低値から最大値の範囲でゲイン値が増加するようにするためのゲイン設定信号Ｓgst1を出力する。
【００３４】
つまり、上記した中電界から弱電界とされる環境では、高周波可変増幅回路１２においては、ほぼ最大値のゲインにより増幅を行うようにしている。そして、後段の中間周波可変増幅回路２３により、可変のゲイン値により増幅を行うことで、このときの高周波可変増幅回路１２による増幅の不足分を補償するようにしている。
【００３５】
このようにして、第１ＡＧＣ制御系では、強電界から中電界の範囲では、高周波可変増幅回路１２がゲイン可変のＡＧＣを実行し、他方の中間周波可変増幅回路２３は、一定の最低ゲイン値による増幅動作となることで、ゲイン可変のＡＧＣは実行していない状態となる。そして、中電界から弱電界の範囲となると、高周波可変増幅回路１２では、一定の最低ゲイン値による増幅動作となって、ゲイン可変のＡＧＣを実行しない状態となる。一方の、中間周波可変増幅回路２３がゲイン可変のＡＧＣを実行することになる。
このようなＡＧＣの動作がいわゆる遅延形といわれるものであり、これにより、電界強度の変化に対してゲインが一定となるように補償された映像信号が得られる。
【００３６】
続いては、第２ＡＧＣ制御系について説明する。
本実施の形態の受信装置１において、第２ＡＧＣ制御系を形成する場合には、スイッチ部４１について端子ｔ１と端子ｔ３を接続するように切換を行う。
このようにして形成される第２ＡＧＣ制御系としては、先ず第１ＡＧＣ回路４０が高周波可変増幅回路１２のゲイン設定を行うためのゲイン設定信号Ｓgst2の信号経路は、オープンとなって無効となる。ただし、第１ＡＧＣ回路４０から中間周波可変増幅回路２３へのゲイン設定信号Ｓgst1は入力された状態が維持される。従って、この場合の第１ＡＧＣ回路４０では、ＡＧＣ制御信号Ｓagc1の入力に応じたゲイン設定を、中間周波可変増幅回路２３に対してのみ行うことになる。
なお、この場合の第１ＡＧＣ回路４０がゲイン設定信号Ｓgst1を出力することに依る中間周波可変増幅回路２３へのゲイン設定は、前述した、第１ＡＧＣ制御系のときの動作と同様でよい。つまり、強電界から中電界の範囲では、最低値で一定のゲイン設定を行い、中電界から弱電界の範囲では、最低値から最高値の範囲で、電界強度が弱くなるのに従ってゲイン値を増加させるように設定するものである。
【００３７】
そして、第２ＡＧＣ制御系とされた場合には、チューナ部２において、検波回路１４→第２ＡＧＣ回路１５の系により生成されるゲイン設定信号Ｓgst3が、スイッチ部４１を経由して、高周波可変増幅回路１２に対して入力されることになる。
検波回路１４は、チューナ部２から中間周波増幅部３への出力である局部発振／ミキサー回路１３から出力される中間周波信号を入力してレベル検波を行い、例えば、直流化を行うようにされる。これにより、チューナ部２からの出力としての中間周波信号のレベルが直流的電圧レベルとして得られることになる。この検波回路１４の出力は、ＡＧＣ制御信号Ｓagc2として第２ＡＧＣ回路に対して入力される。
第２ＡＧＣ回路１５では、入力されたＡＧＣ制御信号Ｓagc2が示す検波レベルに応じて、高周波可変増幅回路１２に対して設定すべき可変のゲインを指示する、ゲイン設定信号Ｓgst3を出力する。なお、第２ＡＧＣ回路１５がゲイン設定信号Ｓgst3を出力して得られる高周波可変増幅回路１２のゲイン設定傾向としても、例えば、第１ＡＧＣ制御系の場合と同様にして、強電界から中電界の範囲では、弱電界となるに従ってゲインが増加し、中電界から弱電界の範囲では所定の最大ゲイン値で一定となるものでよい。
【００３８】
このようにして、本実施の形態では、スイッチ部４１を切り換えることで、第１ＡＧＣ制御系と第２ＡＧＣ制御系との、２つのＡＧＣ制御系の間での動作切換が可能とされる。第１ＡＧＣ制御系は、ベースバンド検波／復調部４に入力される、中間周波増幅部３からの中間周波信号に応じたＡＧＣ制御信号Ｓagc1のみに基づいて、中間周波可変増幅回路２３と高周波可変増幅回路１２についてのＡＧＣがかけられる。つまり、制御ループとしては、中間周波可変増幅回路２３と高周波可変増幅回路１２とで、共に、中間周波増幅部３からの中間周波信号のレベルに応じた帰還がかけられているということがいえる。
これに対して、第２ＡＧＣ制御系では、高周波可変増幅回路１２は、チューナ部２の出力信号としての中間周波信号に対応するＡＧＣ制御信号Ｓagc2に応じてＡＧＣが行われる。また、中間周波可変増幅回路２３では、中間周波増幅部３からの中間周波信号に応じたＡＧＣ制御信号Ｓagc1のみに基づいてＡＧＣが行われる。つまり、高周波可変増幅回路１２と中間周波可変増幅回路２３とでは、互いに独立して完結したＡＧＣ制御信号の帰還ループとなっているものである。
【００３９】
そして、このような第１ＡＧＣ制御系と第２ＡＧＣ制御系の構成の相違によって、ＡＧＣの効果についても下記のようにして相違が生じる。
ここで、中間周波可変増幅回路２３から出力された中間周波信号を元として生成されるものであり、従って、選局されたチャンネルの周波数帯域に応じた信号である。チューナ部２にて受信される受信信号においては希望波としての周波数帯域の信号成分である。ＡＧＣ制御信号Ｓagc1は、このような信号を元として生成されるから、希望波としての周波数帯域のみの中間周波信号のレベルに応じたＡＧＣ制御を行うための信号であることになる。
【００４０】
中間周波増幅部３内の中間周波可変増幅回路２３にて増幅される中間周波信号は、前段のＳＡＷフィルタ２２により、希望波としての帯域のみが抽出されているものである。従って、希望波としての中間周波信号に応じたＡＧＣ制御信号Ｓagc1に基づいてＡＧＣ回路４０が中間周波可変増幅回路２３に対してゲインを設定することで、適正なＡＧＣの結果が得られることは理解される。
【００４１】
そのうえで、第１ＡＧＣ制御系としての遅延形ＡＧＣ回路では、チューナ部２における高周波可変増幅回路１２のゲイン設定についても、同様にして、希望波としての中間周波信号に応じたＡＧＣ制御信号Ｓagc1に基づいて行われることとしている。これは即ち、チューナ部２に入力される受信信号（高周波信号：ＩＦ信号）は希望波以外の周波数帯域の受信波（不要波）を含んでいるのに対して、このチューナ部２（希望波）におけるＡＧＣによるゲイン補償は、希望波のみの帯域成分の高周波信号を対象として行われることを意味する。
【００４２】
ここで、図２（ａ）に示すようにして、受信信号のスペクトラムとして、希望波に対して不要波が周波数的に離れた位置にあるような状態にあるとする。また、ここでは、希望波のレベルよりも不要波のレベルのほうが大きいものとなっている。
このような状態のもとでは、第１ＡＧＣ制御系がはたらいた場合、高周波可変増幅回路１２側では、弱電の希望波を最大ゲインとするようにしてゲイン設定されて増幅を行うことになる。このため、希望波よりレベルの大きい不要波が過大レベルとなって歪み、この歪みの成分の周波数帯域成分が希望波の帯域に及ぶことで、混変調歪みを発生させる可能性が出てくる。
しかしながら、例えばこの図２（ａ）に示すようにして、希望波と不要波が周波数的に離れている状態は、不要波が過大入力歪みを生じても混変調歪みがほとんど生じないとされる状態の１つであり、従って、このときにＳＡＷフィルタ２２により抽出される希望波の帯域の中間周波信号としても、前段のチューナ部で適正にゲイン補償され、かつ、他の不要波の歪みの影響を受けていない良好な信号として得られるものである。
【００４３】
つまり、第１ＡＧＣ制御系としては、図２（ａ）に示すようにして、受信信号の状態として、希望波に対して他の不要波の歪みによる混変調歪みが生じにくいされる状態では、良好なＡＧＣ制御結果が得られるものとなっている。このような受信信号の状態は、アナログのテレビジョン放送（アナログ放送）を受信する場合によくみられる。つまり、アナログ放送では、チャンネルごとにキャリアの周波数が対応付けられた関係を有しているので、選局チャネルと他のチャンネルのキャリアの関係、つまり希望波と不要波の関係は、図２（ａ）に模式的に示されるものが相当することになる。
そして、周知のようにして、この第１ＡＧＣ制御系としての遅延形ＡＧＣ回路は、アナログ放送を受信復調するテレビジョン受像機などの受信装置において以前から広く採用されているものである。
【００４４】
しかしながら、デジタル放送の場合には、複数のチャンネルが例えばＰＳＫ(Phase Shift Keying)などのデジタル変調が施されて伝送される。このため、受信信号における選局チャンネルと他のチャンネルとのキャリアの関係、即ち希望波と不要波との周波数位置的な関係は、図２（ａ）のようにはならず、例えば図２（ｂ）に示すものとなる。つまり、図２（ａ）に示される状態よりも、希望波と他の不要波との周波数的位置関係が近いような状態となる。
【００４５】
そして、例えば、この図２（ｂ）にも示されているようにして、希望波と他の不要波との周波数的位置関係が近い状態であり、かつ、希望波よりも不要波のほうがレベルが大きい状態にあるとする。この状態において、第１ＡＧＣ制御系としての遅延形ＡＧＣを実行したとすると、前述もしたように、弱電の希望波を最大ゲインとするようにしてゲイン設定して増幅を行うので、希望波よりレベルの大きい不要波が過大レベルとなって歪みを生じる可能性が出てくる。そして、この図２（ｂ）に示す状態の場合、希望波と不要波の帯域は近いので、上記した不要波の歪みに伴っては、希望波に混変調歪みを生じる可能性が高くなる。
つまり、第１のＡＧＣ制御系は、例えばデジタル放送受信などのように、図２（ｂ）に示す受信信号に対応するような受信環境では、良好なＡＧＣ制御結果が得られない可能性が高くなってくるものである。
【００４６】
これに対して第２ＡＧＣ制御系では、チューナ部２の高周波可変増幅回路１２のゲイン設定は、同じチューナ部２から出力される中間周波信号に基づいて生成されるゲイン設定信号Ｓgst3によって行われるものとなっている。
この場合、チューナ部２から出力される中間周波信号（つまり、局部発振／ミキサー回路の出力信号）は、ＳＡＷフィルタ２２を経由する前の段階の信号であるから、そのスペクトラムとして、希望波だけではなく、その周囲の不要波を含んでいる。このような信号に基づくゲイン設定信号Ｓgst3により高周波可変増幅回路１２のゲインを設定するということは、希望波と不要波の別を問わず、例えば信号対域内においてもっとも電界強度が高いとされる受信波成分に対応してＡＧＣがかけられるということになる。
【００４７】
そこで、このような第２ＡＧＣ制御系の動作を、図２（ｂ）に示す状態で実行させたとすると、高周波可変増幅回路１２では、希望波よりもレベルが大きい（強電界で受信された）不要波のレベルを抑制するようにしてゲイン調整を行うことになる。これにより、チューナ部２から出力される中間周波信号としては、不要波についての過大入力歪みが抑制された状態で、中間周波可変増幅部３に入力されることになる。そして、後段の中間周波可変増幅回路２３により、ＳＡＷフィルタ２２により抽出された希望波の帯域成分の中間周波信号について、必要なレベルが与えられるようにしてゲイン補償が行われるようにされる。
つまり、第２ＡＧＣ制御系は、図２（ｂ）に示す受信信号に対応する受信環境であるときに、良好な制御結果を得ることができる。
【００４８】
ただし、第２ＡＧＣ制御系は、逆に図２（ａ）に示す受信信号の状態に対応しては意味を成さない場合がある。
つまり、上記説明から分かるように、第２ＡＧＣ制御系は、図２（ｂ）に示すようにして、希望波と不要波の周波数位置が近いなどして、第１ＡＧＣ制御系によるＡＧＣを行えば中間周波信号が過大入力となるおそれがあるようなときに有効となるものである。
しかしながら、図２（ａ）に示すようにして、希望波と不要波の周波数が離れた位置にあって混変調歪みが生じにくいとされる状態では、第１ＡＧＣ制御系によるＡＧＣとすることで何ら問題はないということになる。
また、周知のようにして、第１ＡＧＣ制御系としての遅延形ＡＧＣの方式と、第２ＡＧＣ制御系のような高周波増幅段と中間周波増幅段のＡＧＣ設定の帰還ループが互いに独立したＡＧＣの方式（独立ＡＧＣ方式）の構成とについてのレベル精度について比較した場合、遅延形ＡＧＣ方式のほうがその精度が高い。
アナログ放送を受信した場合のＡＧＣには、高いレベル精度が要求されるので、この点でも第１ＡＧＣ制御系は、アナログ放送を受信したときのＡＧＣとして有利であるといえる。逆に、デジタル放送を受信して得られる受信信号についてベースバンド検波／復調を行うのにあたっては、その構成上、ＡＧＣについては、アナログ放送の場合ほどのレベル精度は要求されないということもある。このような意味からも、第２ＡＧＣ制御系は、デジタル放送に適していることになる。
【００４９】
さらには、図２（ａ）に示すように希望波と不要波の周波数が離れており、かつ、希望波よりも不要波のほうがレベルが大きい場合、第２ＡＧＣ制御系での高周波可変増幅回路１２側のＡＧＣ制御ループでは、強電界の不要波のレベルを抑制するようにしてＡＧＣをかけることになるから、これに伴って、弱電に近い状態の希望波のゲインが必要以上に絞られてしまう結果となってしまう場合がある。このような場合には、Ｃ／ＮやＳ／Ｎの劣化を招くこととなってかえって好ましくない。
【００５０】
以上のことから、第１ＡＧＣ制御系と第２ＡＧＣ制御系の切り換えについては次のようなことがいえる。
先ず、大きくは、図２（ａ）に模式的に示す受信信号のスペクトラムに代表されるような、希望波と不要波との間で過大入力による混変調歪みを生じにくいとされる受信環境に対応しては、第１ＡＧＣ制御系を選択すべきであり、図２（ｂ）に示す受信信号のスペクトラムに代表されるような、希望波と不要波との間での過大入力による混変調歪みを生じ易いとされる受信環境に対応しては、第２ＡＧＣ制御系を選択すべきである、ということになる。
【００５１】
そして、前述もしたように、一般的に、図２（ａ）はアナログ放送に対応し、図２（ｂ）は、デジタル放送に対応するものである。さらには、ＡＧＣのレベル精度の点でも。第１ＡＧＣ制御系はアナログ放送に適しており、第２ＡＧＣ制御系はデジタル放送に適している。そこで、受信する放送がアナログ放送であれば第１ＡＧＣ制御系を選択し、デジタル放送であれば、第２ＡＧＣ制御系を選択するように構成するということが考えられる。
【００５２】
しかしながら、デジタル放送を受信しているときであっても、例えば、希望波に対して不要波が周波数的に離れていたり、希望波と不要波の間で混変調歪みなどの障害が生じにくいような受信環境となる可能性がある。逆に、アナログ放送を受信しているときであっても、そのときの受信環境によっては、希望波に近い周波数帯域や、混変調歪みなどの障害を生じやすいとされるような周波数帯域に不要波が位置しているような状態となる場合も考えられる。
また、前述もしたように、レベル精度としてみた場合には、第１ＡＧＣ制御系のほうが第２ＡＧＣ制御系よりも高いものとなる。従って、例えば図２（ａ）（ｂ）の中間にあるような信号状態であるときには、第１ＡＧＣ制御系としておくことのほうが良好なＡＧＣ制御となる可能性が高いともいえる。
【００５３】
以上のことを考慮すると、第１ＡＧＣ制御系と第２ＡＧＣ制御系については、そのときの受信環境に応じた実際の受信信号の状態に応じて、より良好なＡＧＣ制御結果が得られる制御系を選択することが、最良であるということになる。
なお、本発明においていうところの受信環境とは、これまでの説明からも理解されるように、例えば電波、ＣＡＴＶなどの伝送路によりキャリア伝送される伝送信号を受信するときの、この伝送信号の受信状態を指すものであり、具体的には、伝送信号を受信したときの希望波と不要波との周波数的位置関係、及びレベル（電界強度）の関係を指すものである。
【００５４】
そして、上記したことから、本実施の形態としては、実際の受信信号の状態に応じた第１ＡＧＣ制御系と第２ＡＧＣ制御系の選択を、図３のフローチャートに示すようにして行うように構成する。この図に示す処理は、例えばコントローラ５０が、自身が実行すべきプログラムに従って行うものとされる。
【００５５】
先ず、ステップＳ１０１においては、例えば選局を指示するコマンドを受け付ける。なお、この選局指示のコマンドは、図１においては図示していない操作部、若しくはリモートコントローラなどに対する操作に応じて得られるものである。
また、本実施の形態において、ＡＧＣ制御の初期設定状態は、第１ＡＧＣ制御系を選択している状態であるとされる。そして、このステップＳ１０１による選局コマンドを受け付けた状態では、ＡＧＣ制御系は、第１制御系を選択して初期設定状態としているものとする。
なお、この場合において、上記のようにして、初期設定状態に第１ＡＧＣ制御系を選択しているのは、前述したように、第１ＡＧＣ制御系のほうが第２ＡＧＣ制御系よりもレベル精度が高いという点で、あらゆる受信環境（受信信号状態）を想定した場合に、第１ＡＧＣ制御系としておくことのほうが良好なＡＧＣ制御結果が得られる可能性が高いことに依る。また、例えば現状においては、デジタル放送よりも、アナログ放送を受信する機会が多いとされる視聴傾向も考慮されている。
【００５６】
この選局指示コマンドの受け付けに応じて、コントローラ５０は、ステップＳ１０２において、選局指示コマンドが指定する選局チャンネルに応じて、チューナ部２の局部発振周波数を変更設定し、周波数ロックをかけるようにされる。これにより、指定の選局チャンネルを搬送するキャリア周波数の信号が中間周波信号としてチューナから出力されることになる。そして、この中間周波信号は、中間周波増幅部３を経由してゲイン補償された後に、ベースバンド検波／復調部４に入力される。コントローラ５０は、このステップＳ１０２の処理として、ベースバンド検波／復調部４による復調処理（ベースバンド検波処理を含む）を開始させるための制御も実行することとしている。これにより以降において、ベースバンド検波／復調部４による復調処理が継続的に実行されることになる。
【００５７】
このようにしてベースバンド検波／復調部４は復調処理を開始することになる。前述もしたように、ベースバンド検波／復調部４による復調処理はデジタル信号処理であるが、このデジタル信号処理としての復調処理の実行に伴っては、復調状況を示す情報として、ここでは少なくとも、Ｃ／Ｎ値及びビットエラーレート（以下ＢＥＲ(Bit Error Rate)と略す）の値を出力することができるようになっている。Ｃ／Ｎ値は、例えばベースバンド検波を実行ときの検波出力の誤差情報に基づいて得ることができる。ＢＥＲ値は、例えばベースバンド検波／復調部４における復調処理の１つとして実行される、ビタビ復調処理、エラー訂正処理の結果から得ることができる。なお、ベースバンド検波／復調部４としての集積回路では、ＡＧＣ制御信号とともに、これらのＣ／Ｎ値、及びＢＥＲ値を出力可能な機能を有する仕様とされているのが一般的である。
【００５８】
これらのＣ／Ｎ値及びＢＥＲ値の情報は、受信信号の状態を示す情報であるということができる。つまり、Ｃ／Ｎ値やＢＥＲ値そのものは、復調処理対象である希望波としての信号の品質に対応するが、これは即ち、電界強度や受信環境に応じた受信信号の状態に対応して変化し得るものだからである。また、中間周波増幅部３により増幅された中間周波信号に基づいて生成されるＡＧＣ制御信号Ｓagc1も、このような受信信号の状態を示す情報として扱うことができる。ＡＧＣ制御信号Ｓagc1により設定されるゲインは、希望波の帯域の中間周波信号のレベル、ゲインに応じたものだからである。
そして、ステップＳ１０２に続くステップＳ１０３の処理によっては、上記した受信信号の状態を示すとされる、ＡＧＣ制御信号Ｓagc1、Ｃ／Ｎ値及びＢＥＲ値を、信号状態情報として、ベースバンド検波／復調部４からコントローラ５０が取り込むようにされる。このステップＳ１０３からステップＳ１０８までの処理が、上記信号状態情報（ＡＧＣ制御信号Ｓagc1、Ｃ／Ｎ値、ＢＥＲ値）に基づいて、受信信号の状態を判定するための第１段階の信号状態判定処理となる。なお、ベースバンド検波／復調部４から取得するＣ／Ｎ値及びＢＥＲ値は、それぞれ、実際にベースバンド検波／復調部４において測定されたＣ／Ｎ、ＢＥＲの実測値であるといえる。そこで、以降においては、ベースバンド検波／復調部４から取り込んで取得したＣ／Ｎ値及びＢＥＲ値は、それぞれ、実測Ｃ／Ｎ値（ＲＮ）、及び実測ＢＥＲ値（ＲＢ）ともいうことにする。
【００５９】
信号状態判定処理として、上記ステップＳ１０３に続くステップＳ１０４では、ＡＧＣ制御信号Ｓagc1の値に対応する推定電界値（ＩＰ）を特定する。推定電界値（ＩＰ）は、例えば、不要波による混変調歪みが生じていないとした状態を想定した場合に、ＡＧＣ制御信号Ｓagc1の値に対応するとされる電界強度の値となる。また、このステップＳ１０４による推定電界値（ＩＰ）の特定は、例えばコントローラ５０が内部ＲＯＭに保持するＡＧＣ制御信号Ｓagc1の値に推定電界値（ＩＰ）の値を対応付けたテーブルを検索する構成とすることで実現できる。あるいは、ＡＧＣ制御信号Ｓagc1の値を利用して所定の演算式による演算を行って演算結果として推定電界値（ＩＰ）を得るようにしてもよい。
【００６０】
次のステップＳ１０５においては、上記ステップＳ１０４により特定した推定電界値（ＩＰ）に対応する目標ＢＥＲ値（ＩＢ）を特定するようにされる。この場合の目標ＢＥＲ値（ＩＢ）とは、推定電界値（ＩＰ）に対応して得られるべきＢＥＲ値となる。この目標ＢＥＲ値（ＩＢ）も、上記ステップＳ１０４と同様にして、推定電界値（ＩＰ）と目標ＢＥＲ値（ＩＢ）とを対応付けたテーブルを参照するようにする、あるいは、推定電界値（ＩＰ）を利用した所定の演算式による演算により特定することができる。
【００６１】
そして、ステップＳ１０６においては、上記ステップＳ１０５にて特定された目標ＢＥＲ値（ＩＢ）と、先のステップＳ１０３にて取り込んだ信号状態情報の１つである、実測ＢＥＲ値（ＲＢ）とについて比較を行い、実測ＢＥＲ値（ＲＢ）のほうが、目標ＢＥＲ値（ＩＢ）よりも大きい値であるか否かについて判別する。
【００６２】
ここで、実測ＢＥＲ値（ＲＢ）は、目標ＢＥＲ値（ＩＢ）以下であるとして、ステップＳ１０６の判別結果としては否定結果が得られた場合には、ベースバンド検波／復調部４における希望波についての復調処理は正常に実行されているということになる。これは、現在初期状態として選択されている第１ＡＧＣ制御系により、良好なＡＧＣ制御結果が得られているということも示している。従って、この場合には、そのままステップＳ１１４に進むことで、以降におけるベースバンド検波／復調部４による復調処理を実行させるようにする。これにより、現在において初期設定として選択されている第１ＡＧＣ制御系のＡＧＣ動作が維持されることになる。
【００６３】
これに対して、ステップＳ１０６において、実測ＢＥＲ値（ＲＢ）が、目標ＢＥＲ値（ＩＢ）よりも大きいとして肯定結果が得られた場合であるが、これは、例えば図２（ｂ）により説明した受信環境、及び受信信号の状態とされていることで、ＡＧＣ制御が良好にはたらいていない状況にあることが推定されることになる。
つまり、可能性のある状況の１つとして、希望波のレベル（電界強度）が弱いために、目標ＢＥＲ値（ＩＢ）の元とされた信号状態情報としてのＡＧＣ制御信号Ｓagc1としては、或る程度のゲインを増加させるように制御する値を示しているものとされる。本来であれば、このＡＧＣ制御信号Ｓagc1に基づく第１ＡＧＣ制御系のＡＧＣ制御によって、適正にゲイン補償がされている状態が得られているべきことになる。目標ＢＥＲ値（ＩＢ）は、この本来の状態に対応して得られるべきＢＥＲの値である。しかしながら、実測ＢＥＲ値（ＲＢ）がＢＥＲ目標値（ＩＢ）であるということは、図２（ｂ）に示すような受信環境、受信信号の状態で、第１ＡＧＣ制御系によるＡＧＣ制御がかけられたことで、不要波が過大入力で歪んで混変調を生じさせている状況であるということが、高い可能性で推測されるわけである。
【００６４】
そこで、ステップＳ１０６において肯定結果が得られた場合には、さらに確実に信号状態を判定するために、ステップＳ１０７→Ｓ１０８の処理を実行するようにされる。
先ず、ステップＳ１０７においては、先のステップＳ１０４により特定した推定電界値（ＩＰ）に対応する目標Ｃ／Ｎ値（ＩＣ）を特定するようにされる。この場合の目標Ｃ／Ｎ値（ＩＣ）としても、推定電界値（ＩＰ）に対応して得られるべきＣ／Ｎ値となる。また、この目標Ｃ／Ｎ値（ＩＣ）も、推定電界値（ＩＰ）と目標Ｃ／Ｎ値（ＩＣ）とを対応付けたテーブルを参照するようにする、あるいは、推定電界値（ＩＰ）の値を利用した所定の演算式による演算により特定することとすればよい。
【００６５】
そして、続くステップＳ１０８では、上記ステップＳ１０７にて特定されたＣ／Ｎ目標値（ＩＣ）と、先のステップＳ１０３にて取り込んだ信号状態情報の１つである、実測Ｃ／Ｎ値（ＲＣ）とについて比較を行う。そして、実測Ｃ／Ｎ値（ＲＣ）のほうが、目標Ｃ／Ｎ値（ＩＣ）よりも小さい値であるか否かについて判別する。
なお、Ｃ／Ｎ値は、キャリア対ノイズ比であるから、その値が小さくなるほど良好であるということになる。
【００６６】
ここで、実測Ｃ／Ｎ値（ＲＣ）のほうが、目標Ｃ／Ｎ値（ＩＣ）よりも大きいとされる場合には、Ｃ／Ｎ比としてみた場合の受信信号の状態としては問題がないということになる。つまり、Ｃ／Ｎとしては、良好とされるＡＧＣ制御結果が得られていることを示していることになる。本実施の形態では、このような場合は、受信信号の状態としては良好とされる範囲内であるとみなすようにされる。
そこで、ステップＳ１０８において、実測Ｃ／Ｎ値（ＲＣ）のほうが、目標Ｃ／Ｎ値（ＩＣ）よりも大きいとして、否定結果が得られた場合には、ステップＳ１１４の処理に進んで、以降の復調処理を継続させる。つまり、ＡＧＣ制御系としては、初期設定のままの第１ＡＧＣ制御系を選択するようにされる。
【００６７】
これに対して、実測Ｃ／Ｎ値（ＲＣ）のほうが目標Ｃ／Ｎ値（ＩＣ）よりも小さいとされる状態では、Ｃ／Ｎ比としてみた場合にも、受信信号の品質は劣化している状態にあるということになる。
本実施の形態としては、受信信号の状態として、実測ＢＥＲ値（ＲＢ）が目標ＢＥＲ値（ＩＢ）よりも大きく（ステップＳ１０６での肯定の判別結果に対応）、かつ、実測Ｃ／Ｎ値（ＲＣ）のほうが目標Ｃ／Ｎ値（ＩＣ）よりも小さいとされる場合に、受信信号の品質が許容範囲外であるとしてみなすこととしている。このようにして受信信号の品質する受信環境としては、前述もしたように、例えば１つには、図２（ｂ）に示したような信号状態のもとで、不要波の過大入力による希望波への混変調歪みが相当に大きいとされるような場合を挙げることができる。
【００６８】
そして、ステップＳ１０８において、実測Ｃ／Ｎ値（ＲＣ）のほうが目標Ｃ／Ｎ値（ＩＣ）よりも小さいとして、肯定結果が得られた場合には、上記したように受信信号の品質が許容範囲外であるとみなされる状態であるということになる。この場合にはステップＳ１０９に進むことになる。
【００６９】
ステップＳ１０９では、これまで初期設定として第１ＡＧＣ制御系が選択されていた状態から、第２ＡＧＣ制御系を選択した状態に切り換えるための制御を実行する。このためには、スイッチ部４１について端子ｔ１と端子ｔ２が接続されていた状態から、端子ｔ１と端子ｔ３が接続される状態に切り換わるように、スイッチ部４１に対する端子切り換え制御を実行する。
これにより、以降においては、第２ＡＧＣ制御系によるＡＧＣが実行されることになる。
【００７０】
ここで、上記ステップＳ１０９により第１ＡＧＣ制御系から第２ＡＧＣ制御系に切り換えたとしても、ＡＧＣ制御結果が良好な状態に転じるとは限らない。実際の受信信号の状態としては、図２（ａ）（ｂ）により模式的に示した２つの状態にはっきりと分かれるわけではなく、例えば希望波と不要波の周波数的関係が、これらの中間的な状態となっている場合もあるからである。
【００７１】
そこで、ステップＳ１０９により第１ＡＧＣ制御系から第２ＡＧＣ制御系に切り換えた後のステップＳ１１０→Ｓ１１２の処理により、第２ＡＧＣ制御系に切り換えた結果、ＡＧＣ制御結果が良好に転じたか否かについての判定を行うための、第２段階目の信号状態判定の処理を実行する。
【００７２】
先ず、ステップＳ１１０においては、再度、ベースバンド検波／復調部４から、信号状態情報として、現在の実測Ｃ／Ｎ値（ＲＣ）と、実測ＢＥＲ値（ＲＢ）とを取り込むようにされる。なお、このステップＳ１１０においては、ＡＧＣ制御信号Ｓagc1については取り込む必要はない。つまり、第２ＡＧＣ制御系においては、高周波可変増幅１２のゲイン可変ループと、中間周波可変増幅回路２３のゲイン可変ループとは、相互に独立していることから、例えば第１ＡＧＣ制御系と比較すると、ＡＧＣ制御信号Ｓagc1としては、受信信号の状態を正確に反映しているとは限らないからである。
また、次のステップＳ１１１の処理からも理解されるように、今回の信号状態の判定は、ＡＧＣ制御系の切り換え前と切り換え後とでの比較を行えばよいことから、そのためには、実測Ｃ／Ｎ値（ＲＣ）と実測ＢＥＲ値（ＲＢ）が揃えば充分に信頼性のある判定結果が得られるということでもある。
【００７３】
そして、ステップＳ１１１においては、先のステップＳ１０３にて取り込まれた実測Ｃ／Ｎ値（ＲＣ）及び実測ＢＥＲ値（ＲＢ）と、上記ステップＳ１１０にて取り込まれた実測Ｃ／Ｎ値（ＲＣ）及び実測ＢＥＲ値（ＲＢ）とについての比較を行う。つまり、ステップＳ１０９によるＡＧＣ制御切り換えの前と後での、実測Ｃ／Ｎ値（ＲＣ）、実測ＢＥＲ値（ＲＢ）についての比較を行う。
そして、上記ステップＳ１１１による比較結果に応じて、ステップＳ１１２においては、ステップＳ１０９のＡＧＣ制御切り換えによってＡＧＣ制御結果が向上しているか否かについて判定するようにされる。
なお、ステップＳ１１１において、実測Ｃ／Ｎ値（ＲＣ）、実測ＢＥＲ値（ＲＢ）についてどのような手法により比較を行うのか、また、比較結果に応じてステップＳ１１２において、いずれの判定結果を下すようにするのかについては、下記の例をはじめとして各種考えられる。
例えば、最も簡単な手法の１つとして、ＡＧＣ制御系の切り換え前後での実測Ｃ／Ｎ値（ＲＣ）、実測ＢＥＲ値（ＲＢ）を個々に比較するようにされる。そして、このときに得られる実測Ｃ／Ｎ値（ＲＣ）、実測ＢＥＲ値（ＲＢ）の各差分値に応じて、所定の規則に従って、ＡＧＣ制御結果が向上しているか否かの判定を行うようにすることが考えられる。また、実測Ｃ／Ｎ値（ＲＣ）、実測ＢＥＲ値（ＲＢ）とについて、例えば所定の重み付けを与えるなどしたうえで所定の演算処理を行うようにして、その演算結果として得られる値に基づいて、ＡＧＣ制御結果が向上しているか否かについての判定を行うようにすればよい。
【００７４】
そして、ステップＳ１１２の判別結果として、ＡＧＣ制御結果が向上していると判別されたということは、ステップＳ１０９により第２ＡＧＣ制御系に切り換えたことで、より良好なＡＧＣ制御結果が得られている状態であるということになる。そこで、この場合には、そのままステップＳ１１４に進んで復調処理を継続させる。これにより、第２ＡＧＣ制御系によるＡＧＣの動作が実行される状態で、以降の復調処理が実行されていくことになる。
【００７５】
これに対して、ステップＳ１１２の判別結果として、ＡＧＣ制御結果が向上していないと判別された場合であるが、この場合には、受信信号の状態はけっして充分に良好であるとはいえないが、むしろ第１ＡＧＣ制御系によるＡＧＣ動作のほうが、より良いＡＧＣ制御結果となることが期待される。
そこでこの場合には、ステップＳ１１３に進んで、再度、第１ＡＧＣ制御系に切り換えてから、ステップＳ１１４に進んで復調処理を継続させるようにする。
このような処理が実行されることで、受信信号の状態（つまり受信環境）に応じて、第１ＡＧＣ制御系と第２ＡＧＣ制御系のうちで、より良好なＡＧＣ制御結果が得られるＡＧＣ制御系が選択できることになる。
【００７６】
なお、上記図３に示した処理動作では、チャンネルの選局が行われたときに、受信信号の状態を判別して第１ＡＧＣ制御系と第２ＡＧＣ制御系の切り換えを行うようにしている。つまり、受信信号状態に応じたＡＧＣ制御系の切り換えは、チャンネル選局のときに行われるものとされる。一般に、例えば家屋などに受信装置を設置する場合などでは、受信環境が短時間で大きく変化することは無いので、このようにしてチャンネル切り換えごとのタイミングで、ＡＧＣ制御系の切換を行うことで特に問題はない。また、そのチャンネルの切り換えに対応してのみＡＧＣの切り換えが行われることで、ＡＧＣの切り換えに伴って生じる映像信号の乱れに応じた表示画像の変化も、視聴者にとっては気にならないようにすることができる。
しかしながら、上記図３により示される処理手順はあくまでも一例であり、例えば、チャンネル切り換えタイミングとは無関係に、受信信号状態に応じて第１ＡＧＣ制御系と第２ＡＧＣ制御系との切換を定常的に実行させるようにしてもよいものであり、このような構成とすることも、容易に実現可能である。このような構成を採ることは、例えば携帯型のテレビジョン放送受信装置などのようにして、移動位置に応じて受信環境が変化しやすいような場合に有用である。
【００７７】
また、上記実施の形態では、テレビジョン放送を受信する受信装置としているが、本発明としての構成は、ラジオ放送に対応する受信装置などをはじめ、外部からキャリア伝送される送信波を受信する各種の受信装置として、複数の異なるＡＧＣ制御系を選択的に用いるようにされた受信装置全般に応用できる。
【図面の簡単な説明】
【００７８】
【図１】本発明の実施の形態としての受信装置の構成例を示すブロック図である。
【図２】受信環境に応じた受信信号の状態例を、周波数帯域と信号レベルとの関係により示す図である。
【図３】実施の形態の受信装置が実行するＡＧＣ制御系の切り換え手順を示すフローチャートである。
【符号の説明】
【００７９】
１  受信装置、２  チューナ部、３  中間周波増幅部、４  ベースバンド検波／復調部、１１  フィルタ、１２  高周波可変増幅、１３  局部発振／ミキサー回路、１４  検波回路、１５  第２ＡＧＣ回路、２１  中間周波増幅回路、２２  ＳＡＷフィルタ、２３  中間周波可変増幅回路、３１  Ａ／Ｄコンバータ、３２  復調回路、３３  検波回路、３４  ローパスフィルタ、４０  第１ＡＧＣ回路、４１  スイッチ部、５０  コントローラ
【図１】
2005102008.tif 000003
【図２】
2005102008.tif 000004
【図３】
2005102008.tif 000005